(57)【要約】【課題】人間の判断と手作業とを必要とすることなく、フィルターの目詰まりを未然に防止することができるプロジェクターを提供する。【解決手段】外気を取り入れる吸気口２３を覆うフィルター２５と、投写レンズ３と、投写レンズ３から射出される光束を通過させる投写窓２と、スライド移動することによって光束通過口を開閉するレンズカバー４と、を備えたプロジェクター１００において、投写窓２の開口時及び閉塞時の少なくとも何れかにおいて、フィルター２５の清掃を行うフィルター清掃部材３０，４０を更に備える。【選択図】図３
2010271346.tif 000002
【特許請求の範囲】
【請求項１】
外気を取り入れる吸気口を覆うフィルターと、投写レンズと、前記投写レンズから射出される光束を通過させる光束通過口と、スライド移動することによって前記光束通過口を開閉する開閉カバーと、を備えたプロジェクターにおいて、
前記光束通過口の開口時及び閉塞時の少なくとも何れかにおいて、前記フィルターの清掃を行うフィルター清掃手段を更に備えたことを特徴とするプロジェクター。
【請求項２】
前記フィルター清掃手段は、前記開閉カバーのスライド移動と連動して動作することを特徴とする請求項１に記載のプロジェクター。
【請求項３】
前記フィルター清掃手段は、第１の突起部と第２の突起部を備える第１のフィルター清掃手段と、前記第１の突起部の形状と対応した凹部と凸部とが繰り返し形成された凹凸部を備える第２のフィルター清掃手段と、を有し、
前記第２の突起部は、前記スライド移動によって前記凹部に前記第１の突起部が交互に嵌め込まれると、前記フィルター上を上下運動することを特徴とする請求項２に記載のプロジェクター。
【請求項４】
前記開閉カバーの開閉を検出するカバー開閉検出部を更に備え、
前記フィルター清掃手段は、前記カバー開閉検出部による検出信号に応じて動作することを特徴とする請求項１に記載のプロジェクター。
【発明の詳細な説明】
【技術分野】
【０００１】
本発明は、筐体内の温度上昇を防止するための冷却ファンにより吸気された空気から塵埃を除去するためのフィルターを備えたプロジェクターに関する。
【背景技術】
【０００２】
従来、プロジェクターには液晶パネルや光源ランプ等の過度の温度上昇を防止するため、空冷するための吸気ファンが設けられている。また、吸気ファンにより吸気された空気から塵等を除去するためのフィルターが設けられている。
【０００３】
特許文献１には、フィルターの目詰まりによる冷却効果の低減を防止すると共に、フィルターの交換あるいは清掃作業を大幅に低減させるプロジェクターが記載されている。
すなわち、強制空冷を行っているプロジェクターにおいて、着脱可能に設置されているフィルターユニットに、可動のプレフィルターと、プレフィルターより除去粒子径の小さい防塵性能を有するエアフィルターと、プレフィルターに付着した粉塵を除去するブラシと、プレフィルターの可動機構を設けることにより、プレフィルターに集塵した埃や粉塵を除去する。
【先行技術文献】
【特許文献】
【０００４】
【特許文献１】特開２００８‐６５０２１号公報
【発明の概要】
【発明が解決しようとする課題】
【０００５】
特許文献１に記載のプロジェクターは、目詰まりセンサーによる目詰まり検知や所定時間の経過が、プレフィルター可動開始のトリガーとなっている。したがって、ある程度の塵埃がプレフィルターに付着した後にブラシで除去することを前提としている。このため、ブラシによって除去された塵埃はフィルターユニット内に蓄積される。最終的にユーザーは、フィルターユニット内の塵埃の蓄積具合を予測して、適当なタイミングでフィルターユニットを取り外し、内部に蓄積された塵埃を廃棄しなければならない。
【０００６】
すなわち、フィルターユニットに蓄積された塵埃を廃棄する際には、ユーザーは先ずプロジェクターの電源をＯＦＦにし、フィルターユニットを取り外す。そしてフィルターユニットを掃除機などで清掃した後に、取り外したフィルターユニットをもとの位置に取り付け、電源をＯＮするステップが必要である。このように、塵埃を廃棄するには必ずユーザー、すなわち人間の判断と、手作業が必須であった。
【０００７】
本発明は、上記課題を解決するためになされたものであって、人間の判断と手作業とを必要とすることなく、フィルターの目詰まりを未然に防止することができるプロジェクターを提供することを目的とする。
【課題を解決するための手段】
【０００８】
上記課題を解決することのできる本発明は、外気を取り入れる吸気口を覆うフィルターと、投写レンズと、前記投写レンズから射出される光束を通過させる光束通過口と、スライド移動することによって前記光束通過口を開閉する開閉カバーと、を備えたプロジェクターにおいて、前記光束通過口の開口時及び閉塞時の少なくとも何れかにおいて、前記フィルターの清掃を行うフィルター清掃手段を更に備えたことを特徴とする。
上記構成によれば、開閉カバーによる開口時及び閉塞時の少なくとも何れかにおいて、フィルターの清掃が実行される。通常、開閉カバーを開口するときは投写を開始するときであり、開閉カバーを閉塞するときは投写を終了するときである。すなわち、投写を開始するときと終了するときの少なくとも何れかにおいてフィルター清掃が実施されるため、従来よりもフィルター清掃の実施頻度が多く、フィルターの目詰まりを未然に防止することができる。目詰まりが生じてから清掃を行うと、フィルターに蓄積した塵埃を除去する作業が必要となるため、必ず人間の手作業が必要となる。本発明によれば、人間の判断と手作業とを必要とすることなく、フィルターの目詰まりを未然に防止することができる。
【０００９】
また本発明において、前記フィルター清掃手段は、前記開閉カバーのスライド移動と連動して動作することを特徴とする。
上記構成によれば、フィルター清掃手段は、開閉カバーのスライド移動と連動して動作することによって、フィルター清掃手段として独立した駆動機構等を設ける必要がなく、コストアップに繋がることを防止することができる。
【００１０】
また本発明において、第１の突起部と第２の突起部を備える第１のフィルター清掃手段と、前記第１の突起部の形状と対応した凹部と凸部とが繰り返し形成された凹凸部を備える第２のフィルター清掃手段と、を有し、
前記第２の突起部は、前記スライド移動によって前記凹部に前記第１の突起部が交互に嵌め込まれると、前記フィルター上を上下運動することを特徴とする。
上記構成によれば、開閉カバーのスライド移動に伴って、第１のフィルター清掃手段に設けられた第２の突起部がフィルター上を上下運動するので、この上下運動によってフィルターに付着した微量の塵埃を除去することができる。このため、目詰まり防止効果をより効果的に発揮することができる。
【００１１】
また本発明において、前記開閉カバーの開閉を検出するカバー開閉検出部を更に備え、前記フィルター清掃手段は、前記カバー開閉検出部による検出信号に応じて動作することを特徴とする。
上記構成によれば、開閉カバーのスライド移動に連動して動作するフィルター清掃手段を設けるスペースがプロジェクター内部にないような場合でも、カバー開閉検出部によって開閉を検出できれば、開閉カバーのスライド移動に連動しないフィルター清掃手段を採用することも可能となる。例えば、開閉カバーの開閉を検出すると、吸気ファンを一時的に逆回転させてフィルターの外部面に付着した塵埃を除去することもできる。
【図面の簡単な説明】
【００１２】
【図１】第１の本実施形態のプロジェクターの概観斜視図である。
【図２】プロジェクターの前面方向から投写レンズの周辺の内部構造を模式的に示した図である。
【図３】フィルターに付着している塵埃を除去する様子を示した模式図である。
【図４】第２の実施形態のプロジェクターの内部構成を示したブロック図である。
【発明を実施するための形態】
【００１３】
（第１の実施形態）
以下、本発明の実施形態であるプロジェクターについて説明する。
図１に示すように、本実施形態のプロジェクター１００は、筐体１により外装が構成されている。プロジェクター１００の前面部には、複数のレンズ群からなる投写レンズ部５０が設置されている。なお、投写レンズ部５０の出射側開口面部には、投写レンズ部５０を構成するレンズフィルター３が設置されている。レンズフィルター３は、ガラス等で構成されており、投写レンズ部５０を保護している。また、レンズフィルター３の前方には、略矩形状の開口部となる投写窓２が筐体１に形成されている。投写窓２は、投写レンズ部５０から射出される光束を通過させる光束通過口となっている。
【００１４】
また、投写窓２の近傍となる筐体１の内面側には、レンズカバー４（開閉カバー）が設置されている。プロジェクター１００を使用しないときに、レンズカバー４によって投写窓２を閉塞することで投写レンズ部５０を保護する。また、プロジェクター１００を使用するときには、投写窓２を開口することで投写レンズ部５０からの映像の投写を可能とする。なお、プロジェクター１００の上面部で、レンズカバー４の上部近傍には、レンズカバー４をスライド移動させるためのレンズカバー操作部５が筐体１の上面から若干突出している。そして、レンズカバー操作部５を動作可能とするためのレンズカバー操作部用開口部６が筐体１に形成されている。ユーザーは、レンズカバー操作部５を把持して左右にスライドさせることにより、レンズカバー４をスライドすることができる。なお、図１は、レンズカバー４によって投写窓２を略半分閉塞した状態を表している。
【００１５】
また、レンズカバー操作部５の後方には、レンズ調整用開口部９が形成されており、レンズ調整用開口部９を介して、投写レンズ部５０を構成するフォーカス調整レバー７と、ズーム調整レバー８が突出している。ユーザーは、フォーカス調整レバー７を把持して左右に回転させることにより、投写映像のフォーカス調整を行うことができる。また、ユーザーは、ズーム調整レバー８を把持して左右に回転させることにより、投写映像のズーム調整を行うことができる。
【００１６】
プロジェクター１００の上面部後方には、操作部１０が設置されている。操作部１０は、キースイッチを備えており、ユーザーによるプロジェクター１００の機能操作を受け付ける。プロジェクター１００の前面部には、リモコン受光部１１が設置されている。リモコン受光部１１は、リモートコントローラー（図示せず）を用いたユーザーによるプロジェクター１００の機能操作を受け付ける。プロジェクター１００の前面部下方には、足調整レバー１２が設置されている。足調整レバー１２は、プロジェクター１００の足（図示せず）を伸縮させ、プロジェクター１００の傾斜角度を調整する。
【００１７】
図２は、プロジェクター１００の前面方向から投写レンズ部５０の周辺の内部構造を模式的に示した図である。
プロジェクター１００の筐体１の底面２０には吸気口２３が形成され、筐体１の内面側に吸気口２３を覆う形態で、フィルター２５が設置されている。また、フィルター２５と対向するように第２のフィルター清掃部材３０が固定されており、更に第２のフィルター清掃部材３０と対向するように冷却ファン２７が設置されている。
【００１８】
冷却ファン２７が回転すると、吸気口２３およびフィルター２５を介して、プロジェクター１００の外部の外気をプロジェクター１００の内部に吸気される。吸気された外気は、冷却ファン２７によって導入され、冷却ファン２７の吐出口から吐出される。冷却ファン２７から吐出された外気は、不図示のランプに吹き付けられる。
第２のフィルター清掃部材３０は、プロジェクター１００の底面２０方向に複数の凸部と凹部とからなる凹凸部３１が形成されている。
【００１９】
レンズカバー４には、レンズカバー操作部５の他、第１のフィルター清掃部材４０が形成されている。第１のフィルター清掃部材４０は、投写窓２を開口する方向（矢印Ａ）に延伸する延伸部材４１と、延伸部材４１の先端部に上下に吐出した突起部４３，４５（第１の突起部，第２の突起部）と、を備えている。
【００２０】
第２のフィルター清掃部材３０の凹凸部３１の凹部に、第１のフィルター清掃部材４０の第１の突起部４３の凸形状が対応しているため、レンズカバー４を矢印Ａ方向にスライドさせると、凹部に第１の突起部４３が嵌め込まれた状態が交互に生じる。
【００２１】
すなわちレンズカバー４を矢印Ａ方向にスライドさせると、凹凸部３１の凹部に第１の突起部４３が嵌め込まれた状態が交互に連続して起こるので、図３に示すように、第１のフィルター清掃部材４０の第２の突起部４５は上下（矢印Ｂ）に振動しながらフィルター２５の表面を移動する。
第１のフィルター清掃手段４０は、レンズカバー４のスライド移動と連動して動作することによって、突起部４５がフィルター２５をプロジェクター１００の内部から外部に向けて叩くよう動作する。
【００２２】
このため、冷却ファン２７によって外気を吸気する際にフィルター２５の外部面２５ａに付着した塵埃が叩き落とされる。上述した動作は、レンズカバー４によって投写窓２を開口する時のみならず、レンズカバー４を矢印Ａ方向と逆方向にスライドさせて投写窓２を閉塞する時にも実施される。
このように本実施形態では、第１のフィルター清掃部材４０と第２のフィルター清掃部材３０の２つの部材によってフィルター清掃手段としての機能が実現されている。
【００２３】
上記実施形態によれば、レンズカバー４による投写窓２の開口時及び閉塞時の両方において、フィルター２５の清掃が実行される。通常、ユーザーがレンズカバー４を開口するときは投写を開始するときであり、レンズカバー４を閉塞するときは投写を終了するときである。
すなわち、投写を開始するときと終了するときの両方においてフィルター清掃が実施されるため、従来よりもフィルター清掃の実施頻度が多く、フィルター２５の目詰まりを未然に防止することができる。
【００２４】
またユーザーはレンズカバー４のレンズカバー操作部５を摘んで、左右に動かすだけでよいため、フィルター清掃について意識することがなくなる。このため、従来のようにフィルター目詰まり具合の判断と手作業による塵埃除去作業を必要とすることがない。
【００２５】
さらに、第１のフィルター清掃部材４０は、レンズカバー４のスライド移動と連動して動作することによって、フィルター清掃部材として独立した駆動機構を設ける必要がない。このため、プロジェクター１００のコストアップに繋がることを防止することができる。
さらに、第１のフィルター清掃部材４０はフィルター２５をプロジェクター１００の内部から外部に向けて叩く構成であるため、フィルター２５に与えられる振動によってフィルター２５に付着した微量の塵埃でも除去することができ、目詰まり防止効果をより発揮することができる。
【００２６】
（第２の実施形態）
次に本発明に係るプロジェクターの第２の実施形態について説明する。
なお、第１の実施形態と同一の構成については説明を省略し、ことなる構成について説明することとする。
【００２７】
図４は第２の実施形態のプロジェクターの内部構成を示したブロック図である。
本実施形態のプロジェクター２００は、制御部２１０と、カバー開閉検出部２２０と、ファン駆動制御部２３０と、冷却ファンモーター２４０と、を更に備えている。
なお、本実施形態の冷却ファン２７は、吸気口２３から外気を吸気する際に回転する吸気回転と、その逆方向に回転することが可能である。すなわち、両方向に回転可能なファンである。
【００２８】
制御部２１０は、プロジェクター２００の動作を統括制御する。制御部２００は、ＣＰＵ（Central Processing Unit）で構成され、ＲＯＭ（Read Only Memory）及びＲＡＭ（Random Access Memory）を備えている。
カバー開閉検出部２２０は、レンズカバー４がスライド移動することによって、投写窓２の開口及び閉塞を検出し、検出結果を制御部２１０へ出力する。なお、カバー開閉検出部２２０はレンズカバー４に設けられた開閉スイッチ等の検出スイッチであって、開閉に応じてオンオフする構成である。
【００２９】
ファン駆動制御部２３０は、制御部２１０からの駆動信号によってファンモーター２４０を駆動させ冷却ファン２７の回転動作を制御する。これにより、吸気口２３およびフィルター２５を介して、プロジェクター２００の外部の外気をプロジェクター２００の内部に吸気する。吸気された外気は、冷却ファン２７によって導入され、冷却ファン２７の吐出口から吐出される。冷却ファン２７から吐出された外気は、不図示のランプに吹き付けられる。
【００３０】
また本実施形態では、カバー開閉検出部２２０からの検出信号に応じて制御部２１０から送信される回転制御信号にしたがってファンモーター２４０を制御する。この場合は、冷却効果を目的として外気を吸気する際の回転方向と逆の方向に回転させる。すなわち、プロジェクター２００内の内気を外部へ排気する排気方向（矢印Ｃ）になるよう冷却ファン２７を逆回転させる。
【００３１】
冷却ファン２７を逆方向に回転させることによって、図４に示すようにフィルター２５の外部面２５ａに付着した塵埃が、排気流によって落下し除去される。
上述した動作は、レンズカバー４によって投写窓２を開口する時のみならず、レンズカバー４を矢印Ａと逆方向にスライドさせて投写窓２を閉塞する時にも実施される。
【００３２】
このように本実施形態では、冷却ファン２７、制御部２１０、カバー開閉検出部２２０、ファン駆動制御部２３０及び冷却ファンモーター２４０がそれぞれ協働してフィルター清掃手段としての機能を実現している。
【００３３】
第２の実施形態によれば、カバー開閉検出部２２０がレンズカバー４の開閉を検出すると、冷却ファン２７を吸気方向とは逆に排気方向に一時的に回転させてフィルター２５の外部面２５ａに付着した塵埃を除去することができる。
したがって、第１の実施形態で説明したように、レンズカバー４のスライド移動に連動して動作するフィルター清掃部材３０，４０を設けるスペースがプロジェクター内部にないような場合に採用することができる。
【符号の説明】
【００３４】
１：筐体、２：投写窓、３：レンズフィルター、４：レンズカバー、５：レンズカバー操作部、６：レンズカバー操作部用開口部、７：フォーカス調整レバー、８：ズーム調整レバー、９：レンズ調整用開口部、１０：操作部、１１：リモコン受光部、１２：足調整レバー、２０：底面、２３：吸気口、２５：フィルター、２７：冷却ファン、３０：第２のフィルター清掃部材、３１：凹凸部、４０：第１のフィルター清掃部材、４１：延伸部材、４３，４５：突起部、５０：投写レンズ部、１００，２００：プロジェクター、２１０：制御部、２２０：カバー開閉検出部、２３０：ファン駆動制御部、２４０：冷却ファンモーター。
【図１】
2010271346.tif 000003
【図２】
2010271346.tif 000004
【図３】
2010271346.tif 000005
【図４】
2010271346.tif 000006